(57)【要約】【課題】    本発明の目的は、液体を含む処理対象物から液体と固体を効率良く分離することができる固液分離装置及び固液分離方法を提供するものである。【解決手段】    固液分離装置Ｋは、第２の板状部材５と第１の板状部材４との間隙であって、外方に臨む外方間隙部Ｘからフィルター２に向かって処理対象物を噴射させ、噴射された前記処理対象物中の液体はフィルター２を通り、前記処理対象物中の固形分はフィルター２に残るようにして、前記液体を含む処理対象物から液体と固形分とを分離するものである。【選択図】図１
2015231587.tif 000002
【特許請求の範囲】
【請求項１】
本体と、
この本体内に設けられたフィルターと、
このフィルター内に設けられた液体を含む処理対象物を案内する案内通路を有する案内体と、
前記案内通路の先端に設けられ、前記案内体に接続された第１の板状部材と、
前記案内通路の先端に臨むと共に、前記第１の板状部材に対向して設けられ、前記案内体に接続された第２の板状部材とを備え、
前記第２の板状部材と前記第１の板状部材との間隙であって、外方に臨む外方間隙部から前記フィルターに向かって前記処理対象物を噴射させ、噴射された前記処理対象物中の液体は前記フィルターを通り、前記処理対象物中の固形分は前記フィルターに残るようにして、前記液体を含む処理対象物から液体と固形分とを分離する
ことを特徴とする固液分離装置。
【請求項２】
本体と、
この本体内に回転自在に支持された円筒型フィルターと、
この回転型フィルター内に設けられた液体を含む処理対象物を案内する案内通路を有する案内体と、
前記案内通路の先端に設けられ、前記案内体に接続された第１の円盤状部材と、
前記案内通路の先端に臨むと共に、前記第１の円盤状部材に対向して設けられ、前記案内体に接続された第２の円盤状部材と、
前記案内体を水平方向に往復移動させる往復移動手段とを備え、
前記第２の円盤状部材と前記第１の円盤状部材との間隙であって、外方に臨む外方間隙部から前記フィルターに向かって前記処理対象物を噴射させると共に、前記往復移動手段により前記案内体を水平方向に往復移動させて、前記処理対象物中の液体は前記フィルターを通り、前記処理対象物中の固形分は前記フィルターに残るようにして、前記液体を含む処理対象物から液体と固形分を分離する
ことを特徴とする固液分離装置。
【請求項３】
円筒型フィルターは、一端を閉塞、他端を開放したものであり、
前記円筒型フィルターの回転軸は、略水平方向であり、
案内体に接続された第２の板状部材は、案内通路内に設けられた水平部材の先端に取り付けられ、
前記案内体には、雌ねじが設けられ、
前記水平部材には、前記雌ねじに螺合する雄ねじが設けられ、
前記水平部材は、回転手段により正逆に回転し、第１の円盤状部材と前記第２の円盤状部材との離間距離を調整する
ことを特徴とする請求項２記載の固液分離装置。
【請求項４】
本体と、
この本体内に設けられたフィルターと、
このフィルター内に設けられた液体を含む処理対象物を案内する案内通路を有する案内体と、
前記案内通路の先端に設けられ、前記案内体に接続された第１の板状部材と、
前記案内通路の先端に臨むと共に、前記第１の板状部材に対向して設けられ、前記案内体に接続された第２の板状部材とを備え、
前記処理対象物を前記案内通路から前記第２の板状部材に噴射させ、噴射された前記処理対象物を前記第２の板状部材と前記第１の板状部材との間隙に導くと共に、前記第２の板状部材と前記第１の板状部材との間隙であって、外方に臨む外方間隙部から、前記フィルターに向かって処理対象物を噴射させて、
前記フィルターを介して、前記液体を含む処理対象物から液体と固形分を分離する
ことを特徴とする固液分離方法。
【発明の詳細な説明】
【技術分野】
【０００１】
本発明は、固液分離装置及び固液分離方法に係り、特に、液体を含む処理対象物から液体と固体を効率良く分離することができる固液分離装置及び固液分離方法に関する。
【背景技術】
【０００２】
従来、固液分離装置、例えば、白水処理装置においては、回転する円筒形状のスクリ−ンの内方に設けた白水供給通路より白水を供給して、白水中の液体は前記円筒形状のスクリ−ンを通り、前記白水中の固形分は前記円筒形状のスクリ−ンに残るようにして、前記液体を含む処理対象物である白水から液体を分離するようにしている（特許文献１参照）。
【先行技術文献】
【特許文献】
【０００３】
【特許文献１】特開２００１−２４８０８７号公報
【発明の概要】
【発明が解決しようとする課題】
【０００４】
しかしながら、上記固液分離装置、例えば、白水処理装置においては、白水中の固形分は円筒形状のスクリ−ンに残るため、固形分を水で希釈して、円筒形状のスクリ−ンの清掃を行わなければならず、効率が良くないという問題点が生じた。
【０００５】
本発明は、前記問題点を考慮したなされた液体を含む処理対象物から液体と固体を効率良く分離することができる固液分離装置及び固液分離方法を提供することを目的とする。
【課題を解決するための手段】
【０００６】
請求項１記載の固液分離装置は、本体と、この本体内に設けられたフィルターと、このフィルター内に設けられた液体を含む処理対象物を案内する案内通路を有する案内体と、前記案内通路の先端に設けられ、前記案内体に接続された第１の板状部材と、前記案内通路の先端に臨むと共に、前記第１の板状部材に対向して設けられ、前記案内体に接続された第２の板状部材とを備え、前記第２の板状部材と前記第１の板状部材との間隙であって、外方に臨む外方間隙部から前記フィルターに向かって前記処理対象物を噴射させ、噴射された前記処理対象物中の液体は前記フィルターを通り、前記処理対象物中の固形分は前記フィルターに残るようにして、前記液体を含む処理対象物から液体と固形分とを分離するものである。
【０００７】
また、請求項２記載の固液分離装置は、本体と、この本体内に回転自在に支持された円筒型フィルターと、この回転型フィルター内に設けられた液体を含む処理対象物を案内する案内通路を有する案内体と、前記案内通路の先端に設けられ、前記案内体に接続された第１の円盤状部材と、前記案内通路の先端に臨むと共に、前記第１の円盤状部材に対向して設けられ、前記案内体に接続された第２の円盤状部材と、前記案内体を水平方向に往復移動させる往復移動手段とを備え、前記第２の円盤状部材と前記第１の円盤状部材との間隙であって、外方に臨む外方間隙部から前記フィルターに向かって前記処理対象物を噴射させると共に、前記往復移動手段により前記案内体を水平方向に往復移動させて、前記処理対象物中の液体は前記フィルターを通り、前記処理対象物中の固形分は前記フィルターに残るようにして、前記液体を含む処理対象物から液体と固形分を分離するものである。
【０００８】
また、請求項３記載の固液分離装置は、請求項２記載の固液分離装置において、円筒型フィルターは、一端を閉塞、他端を開放したものであり、前記円筒型フィルターの回転軸は、略水平方向であり、案内体に接続された第２の板状部材は、案内通路内に設けられた水平部材の先端に取り付けられ、前記案内体には、雌ねじが設けられ、前記水平部材には、前記雌ねじに螺合する雄ねじが設けられ、前記水平部材は、回転手段により正逆に回転し、第１の円盤状部材と前記第２の円盤状部材との離間距離を調整するものである。
【０００９】
また、請求項４記載の固液分離方法は、本体と、この本体内に設けられたフィルターと、このフィルター内に設けられた液体を含む処理対象物を案内する案内通路を有する案内体と、前記案内通路の先端に設けられ、前記案内体に接続された第１の板状部材と、前記案内通路の先端に臨むと共に、前記第１の板状部材に対向して設けられ、前記案内体に接続された第２の板状部材とを備え、前記処理対象物を前記案内通路から前記第２の板状部材に噴射させ、噴射された前記処理対象物を前記第２の板状部材と前記第１の板状部材との間隙に導くと共に、前記第２の板状部材と前記第１の板状部材との間隙であって、外方に臨む外方間隙部から、前記フィルターに向かって処理対象物を噴射させて、前記フィルターを介して、前記液体を含む処理対象物から液体と固形分を分離するものである。
【発明の効果】
【００１０】
請求項１記載の固液分離装置によれば、案内通路から第２の板状部材に噴射された処理対象物は、第２の板状部材と第１の板状部材との間隙を通って、第２の板状部材と第１の板状部材との間隙であって、外方に臨む外方間隙部から、フィルターに向かって処理対象物を噴射させるため、噴射された処理対象物中の液体はフィルターを通り、処理対象物中の固形分はフィルターに残るようにして、液体を含む処理対象物から液体と固形分を効率良く分離することができ、
しかも、フィルターに残留した上方に位置する固形分は、自重により落下してフィルターの下方に集まり、固形分が落下した分、フィルターの面は清掃され、分離作用を維持することができる。
【００１１】
また、請求項２記載の固液分離装置によれば、案内通路から第２の円盤状部材に噴射された処理対象物は、第２の円盤状部材と第１の円盤状部材との間隙を通って、第２の円盤状部材と第１の円盤状部材との間隙であって、外方に臨む外方間隙部から、フィルターに向かって処理対象物を噴射させるため、噴射された処理対象物中の液体はフィルターを通り、処理対象物中の固形分はフィルターに残るようにして、液体を含む処理対象物から液体と固形分を効率良く分離することができ、
しかも、フィルターに残留した上方に位置する固形分は、自重により落下してフィルターの下方に集まり、固形分が落下した分、フィルターの面は清掃され、分離作用を維持することができ、
更に、案内体は往復移動手段により水平方向に往復移動するため、外方間隙部から噴射される処理対象物のフィルターに当たる部位が変わり、円筒型フィルターの面をより多く使用して、分離効果を増大させることができる。
【００１２】
また、請求項３記載の固液分離装置によれば、上述した請求項２記載の発明の効果に加え、水平部材は、回転手段により正逆に回転し、第１の円盤状部材と第２の円盤状部材との離間距離を調整することができるため、液体を含む処理対象物に応じて、第１の円盤状部材と第２の円盤状部材との最適な離間距離を調整して、第２の円盤状部材と第１の円盤状部材との間隙から円筒型フィルターに向かって処理対象物を効率良く噴射させることができ、
また、円筒型フィルター内の外方間隙部の位置を往復移動手段により水平方向に往復移動させるため、円筒型フィルターに残った処理対象物中の固形分を円筒型フィルターの開放した部位より、排出することができる。
【００１３】
また、請求項４記載の固液分離方法によれば、案内通路から第２の板状部材に噴射された処理対象物は、第２の板状部材と第１の板状部材との間隙を通って、第２の板状部材と第１の板状部材との間隙であって、外方に臨む外方間隙部から、フィルターに向かって処理対象物を噴射させるため、噴射された処理対象物中の液体はフィルターを通り、処理対象物中の固形分はフィルターに残るようにして、液体を含む処理対象物から液体を効率良く分離することができ、
しかも、フィルターに残留した上方に位置する固形分は、自重により落下してフィルターの下方に集まり、固形分が落下した分、フィルターの面は清掃され、分離作用を維持することができる。
【図面の簡単な説明】
【００１４】
【図１】図１は、本発明の一実施例の固液分離装置の概略的一部断面図である。
【図２】図２は、図１の概略的断面図である。
【図３】図３は、図１の一部の概略的斜視図である。
【図４】図４は、図３の概略的平面図である。
【発明を実施するための形態】
【００１５】
本発明の一実施例の固液分離装置及び固液分離方法を図面（図１乃至図４）を参照して説明する。
図１に示すＫは、液体を含む処理対象物（液体を含む処理対象物は、例えば、白水、汚水等である。）から液体と固形分とを分離する固液分離装置で、固液分離装置Ｋは，本体１と、この本体１内に設けられたフィルター２と、このフィルター２内に設けられた液体を含む処理対象物を案内する案内通路３１を有する案内体３と、案内通路３１の先端に設けられ、案内体３に接続された第１の板状部材４と、案内通路３１の先端に臨むと共に、第１の板状部材４に対向して設けられ、案内体３に接続された第２の板状部材５とを備えている。
【００１６】
図１に示す１１は、フィルター２を通った処理対象物中の液体を本体１の外へ排出する排出口で、１２は、排出口１１からの液体を受けるタンクである。
【００１７】
フィルター２は、例えば、本体１内に回転自在に支持された円筒型フィルターで、一端を閉塞（図１に示す２２は、閉塞部位を示す。）、他端を開放（図１に示す２１は、開放部位を示す。）したもので、水平方向に位置する円周面が濾過部分（濾過部分は、例えば、複数の孔等の開口部、ワイヤーをメッシュ状に編んだもので形成されている。）となっている。
２０はシャフト、２３、２３は軸受、２４はスプロケット、２５はチェーン、２６はモータで、モータ２６の回転は、チェーン２５、スプロケット２４を介して、シャフト２０に伝達され、フィルター２が回転するようになっている。円筒型フィルター２の回転軸は、略水平方向となっている。
図１に示す１３は、円筒型フィルター２の開放した部位２１より排出される処理対象物中の固形分を受けるタンクである。
【００１８】
第１の板状部材４は、例えば、第１の円盤状部材であり、第２の板状部材５は、例えば、第２の円盤状部材で、第１の円盤状部材４及び第２の円盤状部材５は、円筒型フィルター２の内径よりやや小径となっている。
また、第１の円盤状部材４の縁部４１は、円筒型フィルター２の閉塞した部位２２に向かうように傾斜し、その傾斜角度は、より望ましくは、垂直方向に対して約４５度である。
第２の円盤状部材５は、案内通路３１内に設けられた水平部材６の先端に、例えば、水平部材６の先端に設けられた雄ネジにナット６１が螺合して、取り付けられている。なお、案内体３には、雌ねじ３２が設けられ、また、水平部材６には、雌ねじ３２に螺合する雄ねじ６２が設けられている。
水平部材６は、回転部材（例えば、ハンドル）７により正逆に回転し、第１の円盤状部材４と第２の円盤状部材５との離間距離を調整するようになっている。離間距離を調整することにより、液体を含む処理対象物に応じて、第１の円盤状部材４と第２の円盤状部材５との最適な離間距離を調整して、第２の円盤状部材５と第１の円盤状部材４との間隙から円筒型フィルター２に向かって処理対象物を効率良く噴射させることができる。
【００１９】
上述した固液分離装置（又は、固液分離方法）は、処理対象物を案内通路３１から第２の板状部材５に噴射させ、噴射された処理対象物を第２の板状部材５と第１の板状部材４との間隙に導くと共に、第２の板状部材５と第１の板状部材４との間隙であって、外方に臨む外方間隙部Ｘから、フィルター２に向かって処理対象物を広幅リング状に噴射させ、フィルター２を介して、液体を含む処理対象物から液体と固形分とに分離することができる。
つまり、噴射圧力による瞬間脱水を行うことができる。
【００２０】
その結果、噴射された処理対象物中の液体はフィルター２を通り、処理対象物中の固形分はフィルター２に残るようにして、液体を含む処理対象物から液体と固形分を効率良く分離することができ、
しかも、フィルター２に残留した上方に位置する固形分は、自重により落下してフィルター２の下方に集まり、固形分が落下した分、フィルター２の面は清掃され、分離作用を維持することができる。
【００２１】
また、図３に示す７’は、案内体３を水平方向に往復移動させる往復移動手段で、往復移動手段７’は、例えば、モータ７１に取り付けた部材７２、部材７２に取り付けたピン７３、案内体３に取り付けられ、ピン７３を案内するガイド７４を有し、モータ７１の回転に伴い、ピン７３がガイド７４の溝内を上下方向に移動して、案内体３を水平方向に往復するようにしている。
このように、案内体３は往復移動手段７’により水平方向に往復して移動するため、外方間隙部Ｘから噴射される処理対象物のフィルター２に当たる部位が変わり、円筒型フィルター２の面をより多く使用して、分離効果を増大させることができ、また、円筒型フィルター２に残った処理対象物中の固形分を円筒型フィルター２の開放した部位２１より、排出することができる。
【符号の説明】
【００２２】
Ｋ      固液分離装置
Ｘ      外方間隙部
２      フィルター
４      第１の板状部材
５      第２の板状部材
【図２】
2015231587.tif 000003
【図３】
2015231587.tif 000004
【図４】
2015231587.tif 000005
【図１】
2015231587.tif 000006